(57)【要約】【課題】１収集中におけるスライス厚の変化中のＸ線データを容易に特定することができるＸ線ＣＴ装置を提供する。【解決手段】寝台００３と撮像手段００７を相対的に移動させる移動手段の制御、及び撮像手段００７の制御を行う架台制御手段００２と、検出されたＸ線データを収集するデータ収集手段００８と、収集したＸ線データに基づいて画像データを再構成する画像再構成手段００９とを備えるＸ線ＣＴ装置であって、架台制御手段００２は、事前に入力された１収集期間に変化するスライス幅を記憶し、撮影時に寝台００３と撮像手段００７とを相対的に移動させるとともに、スライス幅に合わせてコリメータ００５の開口の大きさを変化させ、データ収集手段００８は、Ｘ線データの検出時のコリメータ００５の開口の大きさの変化を表わす情報をＸ線データに付加し、記憶手段０１０に記憶させる。【選択図】図１
2008093201.tif 000002
【特許請求の範囲】
【請求項１】
被検体を載置する寝台と、
前記被検体の体軸の回りを回転しながらＸ線を照射するＸ線照射手段、該Ｘ線照射手段に対向配置され前記被検体を透過した前記Ｘ線データを検出するＸ線検出手段、及び前記照射されるＸ線の照射野の開口の大きさを変化させるコリメータを含む撮像手段と、
前記撮像手段と前記寝台とを相対的に移動させる移動手段と、
前記移動手段の移動の制御、及び前記撮像手段の制御を行う架台制御手段と、
前記検出されたＸ線データを収集するデータ収集手段と、
前記収集したＸ線データに基づいて画像データを再構成する画像再構成手段と
を備えるＸ線ＣＴ装置であって、
前記架台制御手段は、事前に入力された１収集期間に変化するスライス幅を記憶し、撮影時に前記寝台と前記撮像手段とを相対的に移動させるとともに、前記スライス幅に合わせてコリメータの開口の大きさを変化させ、
前記データ収集手段は、前記Ｘ線データの検出時の前記コリメータの開口の大きさの変化を表わす情報を前記Ｘ線データに付加し、記憶手段に記憶させる
ことを特徴とするＸ線ＣＴ装置。
【請求項２】
前記撮像手段は、前記コリメータを移動する駆動手段を備え、
前記架台制御手段は、前記駆動部を動かし前記コリメータの開口の大きさを制御し、
前記データ収集手段は、前記コリメータの開口の大きさの変化の情報として前記駆動部を動かした情報を受ける
ことを特徴とする請求項１に記載のＸ線ＣＴ装置。
【請求項３】
前記撮像手段は、前記コリメータを移動する駆動手段と、前記コリメータの移動の結果を検出するエンコーダを備え、
前記架台制御手段は、前記コリメータの制御の結果である前記エンコーダの情報を取得し、
前記データ収集手段は、前記コリメータの開口の大きさの変化の情報として前記エンコーダの情報を受ける
ことを特徴とする請求項１に記載のＸ線ＣＴ装置。
【請求項４】
前記画像再構成手段は、前記Ｘ線データに付加された前記コリメータの開口の大きさの変化を表わす情報を基に、前記スライス厚の変化時の前記Ｘ線データを特定し、該Ｘ線データを前記収集されたＸ線データから除き画像データの再構成を行う
ことを特徴とする請求項１乃至３のいずれか一つに記載のＸ線ＣＴ装置。
【請求項５】
被検体を載置する寝台と、
前記被検体の体軸の周りを回転しながら前記被検体にらせん状にＸ線を照射するＸ線照射手段と、該Ｘ線照射手段に対向配置され前記被検体を透過した前記Ｘ線データを検出するＸ線検出手段と、前記照射されるＸ線の照射野の開口の大きさを変化させるコリメータを含む撮像手段と、
前記寝台と前記撮像手段とを相対的に移動させる移動手段と、
前記検出されたＸ線データを収集するデータ収集手段と、
前記収集したＸ線データに基づいて画像データを再構成する画像再構成手段と
を備えるＸ線ＣＴ装置であって、
各撮像位置におけるスライス幅を設定する設定手段と、
前記設定手段により設定されたスライス幅の設定情報に基づいて、１収集期間に前記コリメータの開口の大きさを変えながら連続して前記Ｘ線データの収集を行うスキャン制御手段と
を備えることを特徴とするＸ線ＣＴ装置。
【発明の詳細な説明】
【技術分野】
【０００１】
本発明は、被検体の複数の断層像をヘリカルスキャン方式で撮影するＸ線ＣＴ装置に関する。さらに詳しくは、Ｘ線データの１収集期間にスライス厚を変化させながらヘリカルスキャンを行うＸ線ＣＴ装置に関する。
【背景技術】
【０００２】
Ｘ線ＣＴ装置では、Ｘ線の照射及びＸ線の検出により、被検体について複数のビュー（１ビューは、後記する多チャンネルのデータを一揃いとして、１回取得することを指す。）の透過Ｘ線データを獲得し、この透過Ｘ線データに基づき画像生成装置によって被検体のＸ線断層像を再構成する。
【０００３】
Ｘ線照射装置は、Ｘ線管の焦点から放射されるコーン状のＸ線の照射野をコリメータで制限することで、扇状のＸ線ビームに整形して撮影空間に照射する。
【０００４】
Ｘ線検出装置は、被検体を透過してきたＸ線を、Ｘ線の扇状の広がりに沿って多数の検出素子をアレイ状に配置してなる多チャンネルのＸ線検出器で検出する。
【０００５】
このようなＸ線照射装置及び検出装置を、被検体を中心に回転させることで複数ビューの透過Ｘ線データを獲得する。
【０００６】
さらに、近年においては、Ｘ線ＣＴ装置として、被検体を載置した寝台を被検体の体軸方向に移動させたり、撮像手段を被検体の体軸方向に移動させたりしながら、Ｘ線照射装置及び検出装置を被検体の周りに回転させるヘリカルスキャンが行われるようになってきた。このようなヘリカルスキャンには、短時間で被検体の３次元的な情報を得ることができるという長所がある。なお、Ｘ線照射装置が１回転する間に変位する体軸方向の距離が、ヘリカルピッチとして定義される。
【０００７】
現在、Ｘ線ＣＴ装置でヘリカルスキャン方式によりＸ線断層像を撮影するにあたり、通常は、１収集期間において１つの固定のスライス厚が使用される。ここで、１収集とは、特定の範囲をＸ線の照射及び検出を途切れさせることなく連続して行いＸ線データを収集していく１回のＸ線データのＸ線ＣＴ装置による収集動作を指す。また、スライス厚とは、ヘリカルスキャンにおける一枚の画像に含まれる被検体の体軸方向の厚みであり、Ｘ線ビームの照射野、検出器の１列の検出素子の数、及び検出器の列数（体軸方向を列方向とする。）に依存する。
【０００８】
しかし、スライス厚が薄いと詳細な画像が得られる反面被曝量が多くなるため、詳細な画像が必要のない部位ではなるべくスライス厚を厚くすることで、被曝量を抑える必要がある。このように、撮像の対象となる部位によって必要とされるＸ線データのスライス厚は異なるものである。例えば、頭部ではより詳細な断層像が必要となるため、薄いスライス厚によるＸ線データが必要とされるが、胸部では、頭部と比較し撮像の対象となる部位が大きいため、ある程度スライス厚の厚いＸ線データが必要とされる。さらに、腹部では頭部及び胸部と比較して撮像の対象はより大きくなり、スライス厚がより厚いＸ線データが必要とされる。
【０００９】
このように、部位によってスライス厚を変えたい場合には、従来は、撮像計画を事前に立て、Ｘ線データの収集を部位毎に分け、複数収集を行うことによって撮像したい各部位のＸ線データの収集を行ってきた（例えば、特許文献１参照。）。
【００１０】
しかし、複数収集を行う場合にスライス厚を変化させるには、Ｘ線照射装置又はＸ線検出装置をその間停止させる必要があり、Ｘ線照射装置は一度停止させると、再度の曝射までには非常に長い時間が掛かり、Ｘ線検出装置を停止させた場合でも、１度とめてしまうと、短くても２，３秒、長ければ１０秒程度の時間が掛かってしまう。そのため、Ｘ線データを収集する時間が全体的に長くなってしまい、被検体に対し大きなストレスを与えることになる。さらに、造影剤を投入して撮影する場合には、造影剤は身体の撮影したい部位から他の部位へと流れていってしまうため、一旦Ｘ線ＣＴ装置を止めていると、再度の収集のためもう一度投入する必要がある。
【００１１】
そこで、１収集で被検体の各部のＸ線データを取るために、１収集期間、すなわちＸ線データの収集を停止せずにヘリカルピッチを変化させて撮像が行われる技術が提供されている（例えば、特許文献２参照。）。
【００１２】
【特許文献１】特開２００１−３０９９１４号公報
【特許文献２】特開２００２−１０２２１８号公報
【発明の開示】
【発明が解決しようとする課題】
【００１３】
上記１収集期間にヘリカルピッチを変化させて撮像する技術により、撮像時間の短縮が可能となり、被検体のストレスの低減や１回の造影剤の投与による撮像などが可能となった。しかし、１収集期間にスライス厚を変化させた場合、Ｘ線データを特定することは困難であり、スライス厚が変化している時のＸ線データは撮像スライス厚が随時変化しているため、従来の補正データなどを用いた再構成は行えない。
【００１４】
この発明は、このような事情に鑑みてなされたもので、１収集期間に得られたＸ線データの中から、スライス厚の変化中のＸ線データを容易に特定することができるＸ線ＣＴ装置を提供することを目的としている。
【課題を解決するための手段】
【００１５】
上記目的を達成するために、請求項１に記載のＸ線ＣＴ装置は、被検体を載置する寝台と、前記被検体の体軸の回りを回転しながらＸ線を照射するＸ線照射手段、該Ｘ線照射手段に対向配置され前記被検体を透過した前記Ｘ線データを検出するＸ線検出手段、及び前記照射されるＸ線の照射野の開口の大きさを変化させるコリメータを含む撮像手段と、前記撮像手段と前記寝台とを相対的に移動させる移動手段と、前記移動手段の移動の制御、及び前記撮像手段の制御を行う架台制御手段と、前記検出されたＸ線データを収集するデータ収集手段と、前記収集したＸ線データに基づいて画像データを再構成する画像再構成手段とを備えるＸ線ＣＴ装置であって、前記架台制御手段は、事前に入力された１収集期間に変化するスライス幅を記憶し、撮影時に前記寝台と前記撮像手段とを相対的に移動させるとともに、前記スライス幅に合わせてコリメータの開口の大きさを変化させ、前記データ収集手段は、前記Ｘ線データの検出時の前記コリメータの開口の大きさの変化を表わす情報を前記Ｘ線データに付加し、記憶手段に記憶させることを特徴とするものである。
【００１６】
請求項５に記載のＸ線ＣＴ装置は、被検体を載置する寝台と、前記被検体の体軸の周りを回転しながら前記被検体にらせん状にＸ線を照射するＸ線照射手段と、該Ｘ線照射手段に対向配置され前記被検体を透過した前記Ｘ線データを検出するＸ線検出手段と、前記照射されるＸ線の照射野の開口の大きさを変化させるコリメータを含む撮像手段と、前記寝台と前記撮像手段とを相対的に移動させる移動手段と、前記検出されたＸ線データを収集するデータ収集手段と、前記収集したＸ線データに基づいて画像データを再構成する画像再構成手段とを備えるＸ線ＣＴ装置であって、各撮像位置におけるスライス幅を設定する設定手段と、前記設定手段により設定されたスライス幅の設定情報に基づいて、１収集期間に前記コリメータの開口の大きさを変えながら連続して前記Ｘ線データの収集を行うスキャン制御手段とを備えることを特徴とするものである。
【発明の効果】
【００１７】
請求項１に記載のＸ線ＣＴ装置によると、収集した各Ｘ線データにコリメータの開口の大きさの変化を表わす情報が付加されているため、再構成を行うときにスライス厚の変化中のＸ線データの特定が容易となる。これにより、１収集期間にスライス厚を変化させて収集したＸ線データから、容易にスライス厚が変化中のＸ線データを除いたＸ線データにより画像形成を行うことが可能となる。
【００１８】
請求項５に記載のＸ線ＣＴ装置によると、１収集期間にコリメータの開口の大きさを変化させながら連続してＸ線データの収集を行い、そのＸ線データに基づいて画像データの再構成を行える。これにより、Ｘ線データの収集時間を短縮することが可能となる。
【発明を実施するための最良の形態】
【００１９】
〔第１の実施形態〕
以下、この発明の第１の実施形態に係るＸ線ＣＴ装置について説明する。図１は本発明に係るＸ線ＣＴ装置の機能を表すブロック図である。図１に示される架台制御手段００２、データ収集手段００８、及び画像再構成手段００９はＣＰＵで構成されている。
【００２０】
ユーザは操作手段００１を利用して、１収集期間において、被検体のどの位置でスライス厚をいくつ（例えば、何ｍｍなど）にするかを設定する。例えば図２に示すように、頭部２０１、胸部２０２、及び腹部２０３の３つの対象部位の位置を特定して、それぞれスライス厚２０４を０．５ｍｍ、５ｍｍ、及び１０ｍｍを入力する。そして、入力された部位の位置とスライス厚２０４は、架台制御手段００２に記憶される。ここで、図２は、１収集期間にスライス厚を変化させながらヘリカルスキャンを行う場合の撮像計画（上段）と実際のスキャンの例（下段）を表した図である。本実施形態では、寝台００３は足から頭の方向に向かって移動しているとする。すなわち、撮像手段００７は被検体の頭から足の方向に向かって移動しながら撮像を行っている。ここで、撮像手段００７とは、Ｘ線照射手段００４、コリメータ００５、及びＸ線検出手段００６を含むものである。本実施形態では、実際には、架台制御手段００２からの命令を受けて、移動手段（不図示）が寝台００３を移動させることでヘリカルスキャンを行っているが、以下では説明の都合上、架台制御手段００２が寝台００３を移動させるように説明する。また、本発明に係るＸ線ＣＴ装置の構成は、移動手段により撮像手段００７を移動させてヘリカルスキャンを行う構成でもよく、さらに、移動手段により寝台００３と撮像手段００７の両方を移動させることでヘリカルスキャンを行う構成でもよい。
【００２１】
架台制御手段００２は、寝台００３の移動、及び撮像手段００７の回転を開始する。さらに、架台制御手段００２は、記憶しておいた対象部位の位置とスライス厚の情報を読み出して、頭部２０１の位置でのスライス厚２０４が０．５ｍｍに相当する照射野（コリメータの開口）になるように、Ｘ線検出装置００６の１列の検出素子の数、及びその列数を基に、コリメータ００５の移動量を算出し、コリメータ００５を移動させる。
【００２２】
架台制御手段００２は、図２に示すように、寝台００３を移動させ、Ｘ線照射手段００４からのＸ線の照射野が点２０５に達したところで、Ｘ線データの検出をＸ線検出手段００６に開始させ、点２０６までその状態を維持する。この間、コリメータ００５は移動しておらず、コリメータ００５の開口の大きさは変化していない。そこで、図２の下部の、縦軸にコリメータ００５の開口の大きさを表わし、横軸に撮像手段００７の被検体の体軸に対する位置を表わした実際のスキャンを表わすグラフを参照すると、点２０５から点２０６の間である期間２１１ではコリメータ００５の開口の大きさ２１１はａで一定である。ここで、開口の大きさとはコリメータ００５のＸ線を通すために開いている幅であり（照射野は開口の大きさに比例する。）、架台制御手段００２が駆動部００５ａを動かすことでコリメータ００５を移動させた結果がエンコーダ００５ｂにより検出される。そして、本実施形態では開口の大きさａであればスライス厚２０４は０．５ｍｍに相当する。そこで、架台制御手段００２はコリメータ００５の開口の大きさａをデータ収集手段００８に送る。また、本実施形態では、エンコーダ００５ｂが検出した値を開口の大きさの変化を表わす情報として使用しているが、これは、架台制御手段００２が駆動部００５ａを制御した情報を直接使用してもよいし、コリメータ００５の移動する速度の情報を使用してもよい。
【００２３】
本発明では、直接にスライス厚２０４の情報を送るのではなく、コリメータ００５の開口の大きさの変化の情報（上記例の開口の大きさａ）をデータ収集手段００８に送っている。これは、ユーザにより入力されるスライス厚２０４の情報は体軸上の位置を基準にした情報であるが、実際はコリメータ００５の移動の開始や停止を指示してから駆動部００５ａが動き出すまでのタイムラグなどが発生するため、撮像手段００７により撮像が行われた時点に正確に対応したスライス厚とは限らない。そこで、本発明では、撮像手段００７により撮像が行われた時点でのコリメータ００５の開口の大きさの変化を表わす情報、すなわちエンコーダ００５ｂの出力を、スライス厚の変化の基準とすることにより、撮像手段００７により撮像が行われた時点におけるスライス厚を求めている。
【００２４】
次に、架台制御手段００２は、Ｘ線照射手段００４からのＸ線の照射野が点２０６に達したところで、コリメータ００５の移動を開始させ、Ｘ線照射手段００４からのＸ線の照射野が点２０７に達したところで、胸部２０２でのスライス厚２０４が５ｍｍになるようにコリメータ００５の移動を行う。この間、コリメータ００５は００５ｂによって一定速度（必ずしも一定速度である必要性はない。以下同じ。）で移動されている。そこで、図２の実際のスキャンを表わすグラフを参照すると、コリメータ００５の開口は大きさａから大きさｂへ増加している。したがって、架台制御手段００２は、点２０７に達するまで（期間２１２）のコリメータ００５の開口の大きさ（大きさａから大きさｂへ変化する値）をデータ収集手段００８に送る。
【００２５】
次に、架台制御手段００２は、点２０７に達した後に、胸部２０２の撮像が終わる点２０８まで、開口の大きさｂの状態を維持する。この期間２１３では、コリメータ００５は移動しておらず、コリメータ００５の開口の大きさｂは変化していない。そこで、図２の実際のスキャンを表わすグラフでは、点２０７から点２０８の間（期間２１３）ではコリメータ００５の開口の大きさｂで一定である。ここで、開口の大きさｂは、スライス厚２０４の測定値は５ｍｍに相当する。架台制御手段００２はコリメータ００５の開口の大きさｂをデータ収集手段００８に送る。
【００２６】
次に、架台制御手段００２は、Ｘ線照射手段００４からのＸ線の照射野が点２０８に達したところで、コリメータ００５の移動を開始させ、Ｘ線照射手段００４からのＸ線の照射野が点２０９に達したところで、腹部２０３でのスライス厚２０４が１０ｍｍになるようにコリメータ００５の移動を行う。この間（期間２１４）、コリメータ００５は駆動部００５ａによって一定速度で移動されている。そこで、図２の実際のスキャンを表わすグラフでは、コリメータ００５の開口は大きさｂから大きさｃへ増加している。そこで、架台制御手段００２は、コリメータ００５の開口の大きさ（大きさｂから大きさｃへ変化する値）をデータ収集手段００８に送る。
【００２７】
次に、架台制御手段００２は、腹部２０３の撮像が終わる点２１０まで開口の大きさｃの状態を維持する。この間、コリメータ００５は移動しておらず、コリメータ００５の開口は大きさｃのまま変化していない。つまり、図２の実際のスキャンを表わすグラフでは、点２０９から点２１０の間（期間２１５）ではコリメータ００５の開口は大きさｃで一定である。ここで、開口の大きさｃは、スライス厚２０４は１０ｍｍに相当する。架台制御手段００２はコリメータ００５の開口の大きさｃをデータ収集手段００８に送る。
【００２８】
次に、架台制御手段００２は、Ｘ線照射手段００４からのＸ線の照射野が点２１０に達したところで、Ｘ線検出手段によるＸ線データの検出を終了させ、撮像手段００７の回転を停止する。その後、架台制御手段００２は、寝台００３を所定の位置まで移動させ停止させる。
【００２９】
Ｘ線照射手段００４は、少なくとも、Ｘ線の照射野が点２０５に達したところでＸ線データの検出が始まってから、Ｘ線の照射野が点２０５に達したところでＸ線データの検出が終わるまでの間は、Ｘ線を照射し続ける。
【００３０】
Ｘ線検出手段００６は、架台制御手段００２からの命令を受けて、Ｘ線照射手段００４からのＸ線の照射野が点２０５に達したところからＸ線データの検出を開始し、そのＸ線データをデータ収集装置００８に検出毎に送信する。そして、Ｘ線検出手段００６は、Ｘ線照射手段００４からのＸ線の照射野が点２１０に達したところでＸ線データの検出を終了し、Ｘ線データのデータ収集装置００８への送信を終了する。その間、Ｘ線検出手段００６は、検出したＸ線データをデータ収集装置００８に送信し続ける。
【００３１】
データ収集手段００８は、Ｘ線検出手段００６からＸ線データを受け、同時に架台制御手段００２からそのＸ線データの検出が行われる都度、コリメータ００５の開口の大きさの変化を表わす情報を受け取る。そして、データ収集手段００８は、１回のＸ線データの検出によるＸ線データに対し、そのときのコリメータ００５の開口の大きさの変化を表わす情報を添付し、記憶手段０１０に記憶させる。開口の大きさを表わす情報は、開口の大きさそのものであってもよいが、その変化を示す情報であれば良いので、００５ｂで検出可能なコリメータ００５の移動距離、或いは、移動速度などであってもよい。
【００３２】
画像再構成手段００９は、記憶手段０１０の中に記憶された、Ｘ線データ及びそのＸ線データに添付されたコリメータ００５の開口の大きさの情報を参照し、開口の大きさが各スライス厚２０４である０．５ｍｍ、５ｍｍ、１０ｍｍのそれぞれに対応した値である開口の大きさａ、ｂ、ｃの値を採っているＸ線データだけを取り出し、画像の再構成を行う。ここで、開口の大きさａ、ｂ、ｃ以外の値を採っている場合、すなわち、本実施形態では開口の大きさａより大きく大きさｂより小さいか、又は大きさｂより大きく大きさｃより小さい場合には、そのＸ線データの検出時にはコリメータ００５が移動していることを示すため、それに対応するＸ線データはスライス厚が変化中のＸ線データであり、通常の補正データを用いた画像の再構成は行えないＸ線データである。したがって、そのＸ線データを除いた残りのＸ線データによりＸ線断層像の再構成を行う。つまり、図２に示す、頭部２０１におけるスライス厚０．５ｍｍのＸ線断層像、胸部２０２におけるスライス厚５ｍｍのＸ線断層像、及び腹部２０３におけるスライス厚１０ｍｍのＸ線断層像を再構成することができる。この場合、その間の点２０６から点２０７（期間２１２）のＸ線断層像、点２０８から点２０９（期間２１４）のＸ線断層像は再構成されない。
【００３３】
ここで、本実施例では、スライス厚の変化中のＸ線データを特定するため、コリメータ００５の開口の大きさの変化を表わす情報を使用している。この点、スライス厚は、コリメータ００５の開口の大きさだけでなく、Ｘ線検出手段００６の１列の素子の数やその列数によって決定されるが、１収集期間に素子数や列数は変化させないので、コリメータ００５の開口の大きさの変化を表わす情報を基に、スライス厚の変化を判断することが可能である。
【００３４】
さらに、本実施形態では、検出した全てのＸ線データからスライス厚の変化中のＸ線データを除いたもので、Ｘ線断層像の再構成を行っているが、これは、スライス厚が一定時のＸ線データを基にした通常の補正を用いた画像の再構成のみを行う構成である。Ｘ線検出手段００６が取得するＸ線データは、例えばスライス厚の間隔で離散的なデータとなるので、再構成をする場合その間のＸ線データは離散的なデータを基に補正を行って算出される、この補正が通常の補正である。これに対し、例えばスライス厚が変化中のＸ線データを利用した再構成を行う構成であれば、コリメータ００５の開口の大きさをデータに添付してあるので、このコリメータ００５の開口の大きさの変化を表わす情報を基に、コリメータ００５の開口の大きさａ、ｂ、ｃであるＸ線データにおいては、前述の通常の補正を用いた画像の再構成を行い、コリメータ００５の開口の大きさａ、ｂ、ｃ以外のＸ線データにおいては、スライス厚が変化中のＸ線データを利用した再構成を行うことで、１収集期間の全体、すなわち、点２０６から点２０７（期間２１２）及び点２０８から点２０９（期間２１４）のＸ線断層像も含んだ画像の再構成を行うことができる。
【００３５】
また、本実施形態では、収集したＸ線データにそのＸ線データに対応するコリメータ００５の開口の大きさの変化を表わす情報を添付したものを、Ｘ線ＣＴ装置が有する記憶手段０１０の中に記憶させ、それを基に再構成手段００９に画像の再構成を行わせているが、この記憶手段０１０は外部にあるサーバ等のデータ記憶装置に記憶させ、それを基に再構成手段００９で再構成させたり、他の再構成装置で再構成させたりしてもよい。また、再構成手段００９は、記憶手段０１０を参照して、スライス厚が変化中のどのＸ線データを特定し、実際の再構成用のデータはデータ取得手段００８から受け取る構成にしてもよい。
【００３６】
次に、図３を参照して本実施形態のＸ線ＣＴ装置におけるＸ線データにコリメータ００５の開口の大きさを添付し保存する動作の流れを説明する。ここで、図３は本実施形態におけるＸ線データにコリメータ００５の開口の大きさを添付し保存する動作を表わすフローチャートである。このフローチャートでは記憶手段０１０にＸ線データ及びそのＸ線データに対応するコリメータ００５の開口の大きさを記憶させて動作を終了させているが、実際には、その後、記憶手段０１０に記憶された情報を基に画像再構成手段００９が画像の再構成を行う。
【００３７】
ステップＳ００１：ユーザは、操作手段００１を利用して、Ｘ線データの１収集期間における各対象部位に対応する各スライス厚を入力する。ここで、各対象部位におけるＸ線照射強度や撮像手段００７の回転などの撮影条件、寝台の移動速度及び移動距離、及び各スライス厚などを含む撮影計画を予め別コンピュータで立てて、それをダウンロードしても良い。
【００３８】
ステップＳ００２：架台制御手段００２は、寝台００３の移動及び撮像手段００７の回転を開始し、入力されたスライス厚を受けて、最初の撮像の対象部位に対応したスライス厚のコリメータ００５の位置を算出し、その位置にコリメータ００５を移動する。
【００３９】
ステップＳ００３：架台制御手段００２は、Ｘ線の検出開始の位置（図２における点２０５）で、Ｘ線データの検出の開始命令を、Ｘ線検出手段００６に送る。
【００４０】
ステップＳ００４：Ｘ線検出手段００６は、命令を受けてＸ線データの検出を開始する。ここで、撮像手段００７回転に伴い、都度Ｘ線データの検出を検出する。
【００４１】
ステップＳ００５：架台制御手段００２は、Ｘ線の検出が終了するまで、Ｘ線検出時に対応したコリメータ００５の開口の大きさをデータ収集手段００８に送る。
【００４２】
ステップＳ００６：Ｘ線検出手段００６は、ステップＳ０１４までの間、Ｘ線データを検出し、その検出の都度、検出したＸ線データのデータ収集手段００８への送信を続ける。
【００４３】
ステップＳ００７：データ収集手段００８は、Ｘ線データ、及びそれに対応するコリメータ００５の開口の大きさを受けて、該Ｘ線データに対応するコリメータ００５の開口の大きさを添付して、記憶手段０１０に記憶させる。データ収集手段００８は、この動作をステップＳ０１４まで続ける。
【００４４】
ステップＳ００８：架台制御手段００２は、Ｘ線の照射野が現在Ｘ線データを収集している対象部位のデータ収集領域の最後（図２における点２０６及び点２０８）まで達したかを判断する。達していればステップＳ００９に進み、達していなければステップＳ００８を繰り返す。
【００４５】
ステップＳ００９：架台制御手段００２は、次の対象部位に対応したスライス厚になるように、コリメータ００５を移動させる。
【００４６】
ステップＳ０１０：架台制御手段００２は、Ｘ線の照射野が次の対象部位のデータ収集領域の先頭の位置（図２における点２０７及び点２０９）まで達したかを判断する。達していればステップＳ０１１に進み、達していなければステップＳ０１０を繰り返す。
【００４７】
ステップＳ０１１：架台制御手段００２は、対象部位に対応したスライス厚になる位置にコリメータ００５を維持する。
【００４８】
ステップＳ０１２：架台制御手段００２は、Ｘ線の照射野がＸ線データの検出終了の位置（図２における点２１０）まで達したかを判断する。達していればステップＳ０１３に進み、達していなければステップＳ００５に進む。
【００４９】
ステップＳ０１３：架台制御手段００２は、Ｘ線データの検出の終了命令をＸ線検出手段００６に送信する。
【００５０】
ステップＳ０１４：Ｘ線検出手段００６は、命令を受けてＸ線データの検出を終了する。
【００５１】
以上のように、Ｘ線検出装置００６で検出されたＸ線データに対し、コリメータ００５の開口の大きさの変化を表わす情報を添付することで、そのＸ線データが検出されたときにコリメータ００５が移動していたか否かが容易に判定できるようになる。そして、コリメータ００５が移動しているということは、スライス厚が変化している最中であるということなので、どのＸ線データがスライス厚の変化中のものであるかを容易に特定できることになる。したがって、容易にスライス厚の変化中のＸ線データを除くことができ、通常の補正データを使用したＸ線データの再構成の方法で画像を再構成することも容易になるし、また、スライス厚の変化中のデータを使用したＸ線データの再構成方法を用いることで、スライス厚の変化中の画像の再構成を行うことも可能となる。
【図面の簡単な説明】
【００５２】
【図１】本発明に係るＸ線ＣＴ装置のブロック図
【図２】１収集期間にスライス厚を変化させながら行うＸ線データの収集を説明するための図
【図３】第１の実施形態におけるＸ線データに開口の大きさの変化を表わす情報を添付し保存する動作を表わしたフローチャート
【符号の説明】
【００５３】
００１  操作手段
００２  架台制御手段
００３  寝台
００４  Ｘ線照射手段
００５  コリメータ
００５ａ  駆動部
００５ｂ  エンコーダ
００６  Ｘ線検出手段
００７  撮像手段
００８  データ収集手段
００９  画像再構成手段
０１０  記憶手段
【図１】
2008093201.tif 000003
【図２】
2008093201.tif 000004
【図３】
2008093201.tif 000005